(57)【特許請求の範囲】
【請求項１】
動画データを記憶する動画データ記憶手段と、
表示部及び通信部を有する複数の動画データ表示端末と、
上記動画データ表示端末において動画データを表示するスケジュール情報を管理するスケジュール管理システムと
を備え、
上記スケジュール管理システムが、各動画データ表示端末の動画データ表示端末識別データ及びこの動画データ表示端末に表示する動画データの格納場所並びに表示する時間を含むスケジュール情報を記憶するスケジュール記憶部、及び上記スケジュール情報に基づいて動画データの格納場所を含み携帯電話ネットワークシステムに対応したメール形式の動画データ要求惹起データを携帯電話ネットワークシステムを介して上記動画データ表示端末に送信する通信部を有し、
上記動画データ表示端末が、上記動画データ要求惹起データを受けた後に上記動画データ記憶手段に動画データを要求し、上記動画データ記憶手段からインターネットを介して受け取った動画データを上記表示部に表示するよう構成されている
動画データ表示システム。
【請求項２】
上記動画データ記憶手段が、インターネットを介して上記動画データ表示端末の通信部に接続可能な動画データ記憶システムから構成され、
上記動画データ表示端末が、上記動画データ記憶手段に動画データを要求するために、上記動画データ記憶システムに対して自己の識別データを含む動画データ要求データを送信し、
上記動画データ記憶システムが、上記動画データ要求データの識別データに基づいて正式な接続か否かを判断し、正式な接続である場合には記憶されている動画データを上記インターネットを介して動画データ表示端末に対して送信するよう構成されている
請求項１に記載の動画データ表示システム。
【請求項３】
上記動画データ記憶手段が、上記スケジュール管理システムの通信部を介してインターネット及び上記動画データ表示端末に接続可能に設けられ、
上記動画データ表示端末が、上記動画データ記憶手段に動画データを要求するために、上記スケジュール管理システムの通信部に対して自己の識別データを含む動画データ要求データを送信し、
上記スケジュール管理システムが、上記動画データ要求データの識別データに基づいて正式な接続か否かを判断し、正式な接続である場合には上記動画データ記憶手段の動画データを上記通信部及び上記インターネットを介して動画データ表示端末に対して送信するよう構成されている
請求項１に記載の動画データ表示システム。
【請求項４】
動画データを記憶する動画データ記憶手段と、表示部及び通信部を有する複数の動画データ表示端末と、動画データ表示端末において動画データを表示するスケジュール情報を管理するスケジュール管理システムとを備える動画データ表示システムを用いて、動画データ記憶手段に記憶された動画データを、動画データ表示端末の表示部に表示する動画データ表示方法であって、
スケジュール管理システムのスケジュール記憶部に、各動画データ表示端末の動画データ表示端末識別データ及びこの動画データ表示端末に表示する動画データの格納場所並びに表示する時間を含むスケジュール情報を記憶させ、
上記スケジュール管理システムの通信部が、上記スケジュール情報に基づいて動画データの格納場所を含み携帯電話ネットワークシステムに対応したメール形式の動画データ要求惹起データを携帯電話ネットワークシステムを介して上記動画データ表示端末に送信し、
上記動画データ表示端末が、上記動画データ要求惹起データを受けた後に上記動画データ記憶手段に動画データを要求し、上記動画データ記憶手段からインターネットを介して受け取った動画データを表示部に表示する
動画データ表示方法。
【請求項５】
上記動画データ記憶手段を、上記インターネットを介して上記動画データ表示端末に接続可能な動画データ記憶システムから構成し、
上記動画データ表示端末が、上記動画データ記憶手段に動画データを要求するために、上記動画データ記憶システムに対して自己の識別データを含む動画データ要求データを送信し、
上記動画データ記憶システムが、上記動画データ要求データの識別データに基づいて正式な接続か否かを判断し、正式な接続である場合には上記動画データ表示端末に対してインターネットを介して動画データを送信する
請求項４に記載の動画データ表示方法。
【請求項６】
上記動画データ記憶手段を、上記スケジュール管理システムの通信部を介して上記インターネット及び上記動画データ表示端末に接続可能に設け、
上記動画データ表示端末が、上記動画データ記憶手段に動画データを要求するために、上記スケジュール管理システムの通信部に対して自己の識別データを含む動画データ要求データを送信し、
上記スケジュール管理システムが、上記動画データ要求データの識別データに基づいて正式な接続か否かを判断し、正式な接続である場合には上記動画データ記憶手段の動画データを上記通信部及び上記インターネットを介して動画データ表示端末に対して送信する
請求項４に記載の動画データ表示方法。
【請求項７】
複数の動画データ表示端末において動画データを表示するスケジュール情報を管理する動画データ要求惹起システムであって、
各動画データ表示端末の動画データ表示端末識別データ及びこの動画データ表示端末に表示する動画データの格納場所並びに表示する時間を含むスケジュール情報を記憶するスケジュール記憶部と通信部と処理部とを備え、
上記通信部が、上記スケジュール情報に基づいて動画データ要求惹起データを携帯電話ネットワークシステムを介して動画データ表示端末に送信するよう構成されている
動画データ要求惹起システム。
【請求項８】
上記動画データを記憶する動画データ記憶手段をさらに備え、
上記処理部が、上記動画データ表示端末から自己の識別データを含む動画データ要求データを受信した際に、上記動画データ要求データの識別データに基づいて正式な接続か否かを判断し、正式な接続である場合には上記動画データ表示端末に対して上記動画データ記憶手段に記憶された動画データをインターネットを介して送信するよう構成されている
請求項７に記載の動画データ要求惹起システム。
【請求項９】
複数の動画データ表示端末において動画データを表示するスケジュール情報を管理するスケジュール管理システムを用いる動画データ表示用スケジュール管理方法であって、
動画データ要求惹起システムのスケジュール記憶部に、上記各動画データ表示端末の動画データ表示端末識別データ及びこの動画データ表示端末に表示する動画データの格納場所並びに表示する時間を含むスケジュール情報を記憶させ、
上記動画データ要求惹起システムの通信部が、上記スケジュール情報に基づいて動画データ要求惹起データを携帯電話ネットワークシステムを介して上記動画データ表示端末に送信する
動画データ表示用スケジュール管理方法。
【請求項１０】
上記動画データ要求惹起システムに、上記通信部及びインターネットを介して上記動画データ表示端末に接続可能な動画データ記憶手段を設け、
上記動画データ要求惹起システムの処理部が、上記動画データ表示端末から自己の識別データを含む動画データ要求データを受信した際に、上記動画データ要求データの識別データに基づいて正式な接続か否かを判断し、正式な接続である場合には上記動画データ表示端末に対して上記動画データ記憶手段に記憶された動画データを上記インターネットを介して送信する請求項９に記載の動画データ表示用スケジュール管理方法。
【発明の詳細な説明】
【技術分野】
【０００１】
本発明は、動画データ表示システム、動画データ表示方法、動画データ要求惹起システム及び動画データ表示用スケジュール管理方法に関する。
【背景技術】
【０００２】
この動画データ表示システムは、例えば店舗や街頭等で商品広告の広告動画データ等を表示する商品広告の広告媒体として用いられている。このような広告媒体としては、サーバーから受信した広告映像を広告映像表示装置に表示する広告表示システムが提案されている（特開２００７−２７９５１６号公報参照）。
【０００３】
上記公報所載の広告映像表示システムにあっては、広告映像を放映するスケジュールをサーバーに記憶させておき、そのスケジュールに応じて広告映像をサーバーが上記広告映像表示装置に送信している。
【０００４】
しかし、上記公報所載の広告映像表示システムにおいて、広告映像表示装置が固定されたＩＰアドレスを有さない場合には、サーバーから広告映像を送信するためには広告映像表示装置とサーバーとを常時接続させておく必要が生ずる。
【０００５】
また、上記公報には、サーバーがインターネットを介して広告映像表示装置に起動信号を送信し、広告映像表示装置が起動する旨が記載されている。この記載からすれば、上記公報所載の広告映像表示装置は、上記サーバーからリモートコントロール可能（遠隔操作可能）に設定されている。しかるに、このようにリモートコントロール可能に設定した場合には、この広告映像表示装置への不正アクセスのおそれがあり、仮に不正アクセスによって予期しない映像が表示されてしまうと広告宣伝したい商品のイメージに悪影響を与えるおそれが存在する。
【０００６】
さらに、上記のようにリモートコントロールを可能とする手段としては、例えば広告映像表示装置ごとに固定されたグローバルＩＰアドレスを設定する手段がある。また、このリモートコントロを可能とする手段としては、ダイナミックＤＮＳや静的ＩＰマスカレードを利用する手段もある。しかし、これらの手段によっても上記不正アクセスが懸念されるばかりか、各広告映像表示装置に上記手段を採用する必要があり、システム全体が高額となるおそれがある。
【０００７】
【特許文献１】特開２００７−２７９５１６号公報
【発明の開示】
【発明が解決しようとする課題】
【０００８】
本発明は、これらの不都合に鑑みてなされたものであり、簡易な構成でスケジュール通りに動画データ表示端末で動画データを表示することができ、不正アクセスのおそれが少ない動画データ表示システム、動画データ表示方法、動画データ要求惹起システム及び動画データ表示用スケジュール管理方法の提供を目的とするものである。
【課題を解決するための手段】
【０００９】
上記課題を解決するために、本発明に係る動画データ表示システムは、
動画データを記憶する動画データ記憶手段と、
表示部及び通信部を有する動画データ表示端末と、
上記動画データ表示端末において動画データを表示するスケジュール情報を記憶するスケジュール記憶部及び通信部を有するスケジュール管理システムと
を備え、
上記スケジュール管理システムの通信部が、上記スケジュール情報に基づいて動画データ要求惹起データをネットワークシステムを介して上記動画データ表示端末に送信し、
上記動画データ表示端末が、上記動画データ要求惹起データに基づいて上記動画データ記憶手段に動画データを要求し、上記動画データ記憶手段から受け取った動画データを上記表示部に表示するよう構成されている。
【００１０】
当該動画データ表示システムは、スケジュール管理システムの通信部が動画データ表示端末に動画データ要求惹起データを送信することによって、動画データ表示端末が、動画データを動画データ記憶手段から受け取り、動画データを表示することができる。このようにスケジュール管理システムからは動画データ自体ではなく動画データ要求惹起データのみを送信すれば足り、またこの動画データ要求惹起データは動画データ表示端末が動画データを要求するよう惹起するデータだけで足りる。このため、動画データ要求惹起データとして例えば携帯電話ネットワークシステムの電子メール等を用いることができ、これにより動画データ表示端末とスケジュール管理システムとを常時接続しておく必要がなく、また動画データ表示端末が固定されたＩＰアドレスを有する等のリモートコントロール可能に設定することを特に必要としない。よって、簡易な構成でスケジュール通りに動画データを表示することができ、システム全体が高額になり過ぎることを防止できるとともに、従来のリモートコントロール可能に設けるものに比して不正アクセスのおそれが少ない。
【００１１】
また、当該動画データ表示システムにあっては、上記スケジュール管理システムの通信部が、上記動画データ要求惹起データを、上記ネットワークシステムとして携帯電話ネットワークシステムを介して上記動画データ表示端末に送信するよう構成されていることが好ましい。これにより、携帯電話ネットワークシステムを用いて確実且つ簡便に動画データ要求惹起データを動画データ表示端末に送信することができる。
【００１２】
さらに、当該動画データ表示システムにあっては、上記動画データ記憶部が、ネットワークシステムを介して上記動画データ表示端末の通信部に接続可能な動画データ記憶システムから構成され、上記動画データ表示端末が、上記動画データ記憶手段に動画データを要求するために、上記動画データ記憶システムに対して自己の識別データを含む動画データ要求データを送信し、上記動画データ記憶システムが、上記動画データ要求データの識別データに基づいて正式な接続か否かを判断し、正式な接続である場合には記憶されている動画データを動画データ表示端末に対して送信する構成を採用することができる。上記構成を採用することにより、スケジュール管理システムの通信部が動画データ表示端末に動画データ要求惹起データを送信することによって、動画データ表示端末が、動画データ記憶システムに動画データ要求データを送信して、この動画データ記憶システムから動画データを受け取り、動画データを表示することができる。特に、上記動画データ記憶システムは、動画データ要求データを受信した際にこの動画データ要求データに含まれる識別データによって正当な接続か否か判断するため、例えば不正式な接続に対して動画データを送信することを防止したり、或いは識別データに対応した動画データを送信することが可能となる。
【００１３】
また、当該動画データ表示システムにあっては、上記動画データ記憶部が、上記スケジュール管理システムの通信部を介してネットワークシステム及び上記動画データ表示端末に接続可能に設けられ、上記動画データ表示端末が、上記動画データ記憶部に動画データを要求するために、上記スケジュール管理システムの通信部に対して自己の識別データを含む動画データ要求データを送信し、上記スケジュール管理システムが、上記動画データ要求データの識別データに基づいて正式な接続か否かを判断し、正式な接続である場合には上記動画データ記憶部の動画データを上記通信部を介して動画データ表示端末に対して送信する構成を採用することができる。上記構成を採用することにより、スケジュール管理システムの通信部が動画データ表示端末に動画データ要求惹起データを送信することによって、動画データ表示端末が、スケジュール管理システムの通信部に動画データ要求データを送信して、動画データ記憶部から動画データを受け取り、動画データを表示することができる。特に、上記スケジュール管理システムは、動画データ要求データを受信した際にこの動画データ要求データに含まれる識別データによって正当な接続か否か判断するため、例えば不正式な接続に対して動画データを送信することを防止したり、或いは識別データに対応した動画データを送信することが可能となる。
【００１４】
さらに、当該動画データ表示システムにあっては、上記動画データ記憶部が、携帯可能で且つ上記動画データ表示端末に接続可能な記憶補助装置から構成されているものであっても良い。これにより、スケジュール管理システムの通信部が動画データ表示端末に動画データ要求惹起データを送信することによって、動画データ表示端末が、接続された記憶補助装置に動画データ要求データを送信して、この記憶補助装置から動画データを受け取り、動画データを表示することができる。
【００１５】
また、上記課題を解決するために、本発明に係る動画データ表示方法は、
動画データ記憶手段に記憶された動画データを、動画データ表示端末の表示部に表示する動画データ表示方法であって、
スケジュール管理システムのスケジュール記憶部に、上記動画データ表示端末において動画データを表示するスケジュール情報を記憶させ、
上記スケジュール管理システムの通信部が、上記スケジュール情報に基づいて動画データ要求惹起データをネットワークシステムを介して上記動画データ表示端末に送信し、
上記動画データ表示端末が、上記動画データ要求惹起データに基づいて上記動画データ記憶手段に動画データを要求し、上記動画データ記憶手段から受け取った動画データを表示部に表示するよう構成されている。
【００１６】
当該動画データ表示方法は、スケジュール管理システムの通信部が動画データ表示端末に動画データ要求惹起データを送信することによって、動画データ表示端末が、動画データを動画データ記憶手段から受け取り、動画データを表示することができる。このようにスケジュール管理システムから動画データ自体でなく動画データ要求惹起データを送信するだけであるので、動画データ表示端末とスケジュール管理システムとを常時接続しておく必要がなく、また動画データ表示端末が固定されたＩＰアドレスを有する等のリモートコントロール可能に設定することを特に必要としない。よって、簡易な構成でスケジュール通りに動画データを表示することができ、システム全体が高額になり過ぎることを防止できるとともに、従来のリモートコントロール可能に設けるものに比して不正アクセスのおそれが少ない。
【００１７】
また、当該動画データ表示方法にあっては、上記スケジュール管理システムが、上記動画データ要求惹起データを、上記ネットワークシステムとして携帯電話ネットワークシステムを介して上記動画データ表示端末に送信する構成を採用することが好ましい。これにより、携帯電話ネットワークシステムを用いて確実且つ簡便に動画データ要求惹起データを動画データ表示端末に送信することができる。
【００１８】
さらに、当該動画データ表示方法にあっては、上記動画データ記憶部を、ネットワークシステムを介して上記動画データ表示端末に接続可能な動画データ記憶システムから構成し、上記動画データ表示端末が、上記動画データ記憶手段に動画データを要求するために、上記動画データ記憶システムに対して自己の識別データを含む動画データ要求データを送信し、上記動画データ記憶システムが、上記動画データ要求データの識別データに基づいて正式な接続か否かを判断し、正式な接続である場合には上記動画データ表示端末に対して動画データを送信する構成を採用することができる。上記構成を採用することにより、不正式な接続に対して動画データを送信することを防止したり、或いは識別データに対応した動画データを送信することが可能となる。
【００１９】
また、当該動画データ表示方法にあっては、上記動画データ記憶部を、上記スケジュール管理システムの通信部を介してネットワークシステム及び上記動画データ表示端末に接続可能に設け、上記動画データ表示端末が、上記動画データ記憶部に動画データを要求するために、上記スケジュール管理システムの通信部に対して自己の識別データを含む動画データ要求データを送信し、上記スケジュール管理システムが、上記動画データ要求データの識別データに基づいて正式な接続か否かを判断し、正式な接続である場合には上記動画データ記憶部の動画データを上記通信部を介して動画データ表示端末に対して送信する構成を採用することができる。上記構成を採用することにより、不正式な接続に対して動画データを送信することを防止したり、或いは識別データに対応した動画データを送信することが可能となる。
【００２０】
さらに、当該動画データ表示方法にあっては、上記動画データ記憶部として携帯可能な記憶補助装置を、上記動画データ表示端末に接続する構成を採用することも可能である。これにより、スケジュール管理システムの通信部が動画データ表示端末に動画データ要求惹起データを送信することによって、動画データ表示端末が、接続された記憶補助装置に動画データ要求データを送信して、この記憶補助装置から動画データを受け取り、動画データを表示することができる。
【００２１】
また、上記課題を解決するために、本発明に係る動画データ要求惹起システムは、
動画データ表示端末において動画データを表示するスケジュール情報を記憶するスケジュール記憶手段と通信部と処理部とを備え、
上記通信部が、上記スケジュール情報に基づいて動画データ要求惹起データをネットワークシステムを介して動画データ表示端末に送信するよう構成されている。
【００２２】
当該動画データ要求惹起システムは、動画データ要求惹起システムの通信部が動画データ表示端末に動画データ要求惹起データを送信することによって、動画データ表示端末が動画データを動画データ記憶手段から受け取って動画データを表示するよう動作させることができる。このように動画データ要求惹起システムから動画データ要求惹起データを送信するだけであるので、動画データ自体を送信するものに比べて動画データ表示端末と動画データ要求惹起システムとを常時接続しておく必要がなく、また動画データ表示端末が固定されたＩＰアドレスを有する等のリモートコントロール可能に設定することを特に必要としない。よって、簡易な構成でスケジュール通りに動画データを表示することができ、システム全体が高額になり過ぎることを防止できるとともに、従来のリモートコントロール可能に設けるものに比して不正アクセスのおそれが少ない。
【００２３】
また、当該動画データ要求惹起システムにあっては、上記通信部が、上記動画データ表示端末に動画データ要求惹起データを、上記ネットワークシステムとして携帯電話ネットワークシステムを介して送信するよう構成されていることが好ましい。これにより、携帯電話ネットワークシステムを用いて確実且つ簡便に動画データ要求惹起データを動画データ表示端末に送信することができる。
【００２４】
さらに、当該動画データ要求惹起システムにあっては、上記動画データを記憶する動画データ記憶部をさらに備え、上記処理部が、上記動画データ表示端末から自己の識別データを含む動画データ要求データを受信した際に、上記動画データ要求データの識別データに基づいて正式な接続か否かを判断し、正式な接続である場合には上記動画データ表示端末に対して上記動画データ記憶部に記憶された動画データを送信する構成を採用することができる。上記構成を採用することによって、不正式な接続に対して動画データを送信することを防止したり、或いは識別データに対応した動画データを送信することが可能となる。
【００２５】
また、上記課題を解決するために、本発明に係る動画データ表示用スケジュール管理方法は、
動画データ要求惹起システムのスケジュール記憶部に、動画データ表示端末において動画データを表示するスケジュール情報を記憶させ、
上記動画データ要求惹起システムの通信部が、上記スケジュール情報に基づいて動画データ要求惹起データをネットワークシステムを介して上記動画データ表示端末に送信する構成を有する。
【００２６】
当該動画データ表示用スケジュール管理方法は、動画データ要求惹起システムの通信部が動画データ表示端末に動画データ要求惹起データを送信することによって、動画データ表示端末が動画データを動画データ記憶手段から受け取って動画データを表示するよう動作させることができる。このように動画データ要求惹起システムから動画データ要求惹起データを送信するだけであるので、動画データ自体を送信するものに比べて動画データ表示端末と動画データ要求惹起システムとを常時接続しておく必要がなく、また動画データ表示端末が固定されたＩＰアドレスを有する等のリモートコントロール可能に設定することを特に必要としない。よって、簡易な構成でスケジュール通りに動画データを表示することができ、システム全体が高額になり過ぎることを防止できるとともに、従来のリモートコントロール可能に設けるものに比して不正アクセスのおそれが少ない。
【００２７】
また、当該動画データ表示用スケジュール管理方法にあっては、動画データ要求惹起システムが、上記動画データ要求惹起データを、上記ネットワークシステムとして携帯電話ネットワークシステムを介して上記動画データ表示端末に送信する構成を採用することが好ましい。これにより、携帯電話ネットワークシステムを用いて確実且つ簡便に動画データ要求惹起データを動画データ表示端末に送信することができる。
【００２８】
さらに、当該動画データ表示用スケジュール管理方法にあっては、上記動画データ要求惹起システムに、上記通信部及びネットワークシステムを介して上記動画データ表示端末に接続可能な動画データ記憶部を設け、上記動画データ要求惹起システムの処理部が、上記動画データ表示端末から自己の識別データを含む動画データ要求データを受信した際に、上記動画データ要求データの識別データに基づいて正式な接続か否かを判断し、正式な接続である場合には上記動画データ表示端末に対して上記動画データ記憶部に記憶された動画データを送信する構成を採用することができる。上記構成を採用することにより、不正式な接続に対して動画データを送信することを防止したり、或いは識別データに対応した動画データを送信することが可能となる。
【発明の効果】
【００２９】
以上説明したように、本発明は、簡易な構成でスケジュール通りに動画データ表示端末で動画データを表示することができ、従来のものに比べてシステム全体が高額化することを防止できるとともに不正アクセスのおそれが少ない。
【図面の簡単な説明】
【００３０】
【図１】本発明の一実施形態に係る動画データ表示システムの全体構成を説明するための説明図である。
【図２】図１の動画データ表示システムの構成を説明するための概略的説明図である。
【図３】図１の動画データ表示システムによる動画データ表示方法のフローチャートである。
【発明を実施するための形態】
【００３１】
以下、適宜図面を参照しつつ本発明の実施の形態を詳説する。
【００３２】
＜システム全体構成＞
図１の動画データ表示システムは、クラウド型サイネージサービス用のシステムである。この動画データ表示システムは、動画データを記憶する動画データ記憶手段としての動画データ記憶システム１００と、動画データを表示する複数の動画データ表示端末２００と、動画データ表示端末２００において動画データを表示するスケジュール情報を管理するスケジュール管理システム３００とを備えている。
【００３３】
上記スケジュール管理システム３００は、動画データ要求惹起データを第一ネットワークシステム４００を介して上記動画データ表示端末２００に送信可能に設けられている。また、上記動画データ記憶システム１００は、動画データを第二ネットワークシステム５００を介して上記動画データ表示端末２００に送信可能に設けられている。当該スケジュール管理システム３００は、スケジュール管理システム３００からの動画データ要求惹起データを動画データ表示端末２００が受信すると、この動画データ表示端末２００は、上記動画データ要求惹起データに基づいて上記動画データ記憶手段（動画データ記憶システム１００）に動画データを要求し、上記動画データ記憶手段から受け取った動画データを表示するよう構成されている。
【００３４】
上記第一ネットワークシステム４００としては、携帯電話ネットワークシステムを採用することができ、具体的には例えば３Ｇネットワークシステム（第三世代移動通信システム）が用いられる。上記第二ネットワークシステム５００としては、例えばインターネットが用いられる。
【００３５】
なお、本実施形態の動画データ表示システムは、他の動画データ記憶手段として、携帯可能で且つ上記動画データ表示端末２００に接続可能な外部記憶補助装置６００をさらに備えている（図２参照）。また、スケジュール管理システム３００にも動画データが記憶されており、このスケジュール管理システム３００の記憶部（後述）が上記動画データ記憶手段としても機能する。つまり、本実施形態においては、三種類の動画データ記憶手段（動画データ記憶システム１００、外部記憶補助装置６００及びスケジュール管理システム２００）が設けられている。
【００３６】
＜動画データ表示端末２００＞
上記動画データ表示端末２００は、動画データを表示する動画データ表示部２１０と、第一ネットワークシステム４００及び第二ネットワークシステム５００に接続してデータの送受信を行う通信部と、各種処理を行う処理部と、コンピュータプログラムを記憶する記憶部とを備えている。
【００３７】
なお、上記動画データ表示端末２００は、例えばＣＰＵ（中央演算処理部（ＭＰＵを含む））、フラッシュメモリ、アンテナ部等を備える携帯電話端末と、この携帯電話端末に接続され携帯電話端末から供給される動画データを再生するディスプレイ装置２１０とから構成することが可能である。上記動画データ表示部２１０は、上記ディスプレイ装置から構成することができる。このディスプレイ装置としては、例えば液晶テレビやプラズマテレビ等のフラットパネルディスプレイ等を採用することができる。上記記憶部は、上記フラッシュメモリ等から構成することができる。上記通信部は、上記アンテナ部等から構成することができる。また、以下述べるデータベース接続手段２２０等の各手段は、動画データ表示端末２００のフラッシュメモリ等に記憶されているコンピュータプログラムに基づいて処理部が各部を制御することで機能するよう構成されている。
【００３８】
上記動画データ表示端末２００は、図２に示すように、スケジュール管理システム３００から動画データ要求惹起データを受信した際に、動画データ記憶システム１００に第二ネットワークシステム５００を介して接続するデータベース接続手段２２０を有している。このデータベース接続手段２２０は、受け取った動画データ要求惹起データに基づいて動画データ要求データを動画データ記憶システム１００に送信する。また、このデータベース接続手段２２０は、動画データ要求データに基づいて動画データ記憶システム１００から送信された動画データを受け取る。
【００３９】
上記動画データ表示端末２００が送信する動画データ要求データは、要求する動画データに関する情報のほか、自己の識別データを含んでいる。上記動画データに関する情報としては、動画データの識別情報や動画データの格納場所等とすることができる。また、自己の識別データとしては、各動画データ表示端末２００に付された動画データ表示端末２００の識別情報とすることができる。なお、この自己の識別情報としては、その他にパスワード等を含めることも可能であり、他の接続と区別できる情報であれば種々採用可能である。
【００４０】
なお、上記動画データ表示端末２００は、外部記憶補助装置６００から動画データを引き出すローダー手段２３０と、スケジュール管理システム３００から動画データを受け取る受取手段２４０とをさらに有している。そして、上記データベース接続手段２２０は、動画データ要求惹起データに指定された動画データが上記動画データ記憶システム１００ではなくスケジュール管理システム３００及び外部記憶補助装置６００に記憶されている場合には、上記ローダー手段２３０に動画データを要求する。そして、ローダー手段２３０は、動画データが外部記憶補助装置６００に動画データが記憶されている場合には、外部記憶補助装置６００から動画データを引き出す。一方、動画データがスケジュール管理システム３００に記憶されている場合には、上記ローダー手段２３０は上記受取手段２４０に動画データを要求する。そして、受取手段２４０はスケジュール管理システム３００から動画データを受け取り、その動画データを上記ローダー手段２３０に供給する。上記ローダー手段２３０は、上述のように引き出した又は供給された動画データを上記データベース接続手段２２０に供給し、データベース接続手段２２０は動画データを受け取ることになる。
【００４１】
上記動画データ表示端末２００は、上述のようにデータベース接続手段２２０が受け取った動画データを動画データ表示部２１０で表示可能なデータに生成するレンダリング手段２５０を備えている。つまり、上記データベース接続手段２２０は受け取った動画データをレンダリング手段２５０に供給し、このレンダリング手段２５０は受け取った動画データを表示可能なデータに生成して動画データ表示部２１０に供給する。これにより、動画データ表示部２１０に動画データが表示されることになる。
【００４２】
上記動画データ表示端末２００は、ＨＴＴＰコミュニケータ２６０（Ｈｙｐｅｒ  Ｔｅｘｔ  Ｔｒａｎｓｆｅｒ  Ｐｒｏｔｏｃｏｌ  Ｃｏｍｍｕｎｉｃａｔｏｒ）と、タイムシンクロナイザ２７０（Ｔｉｍｅ  ｓｙｎｃｈｒｏｎｉｚｅｒ）とを備えている。このＨＴＴＰコミュニケータ２６０は、提供されるリソースに基づいて所望表示を行うための手段であり、タイムシンクロナイザ２７０は、外部との通信によって他の機器等と時間を共通化するための手段である。
【００４３】
＜スケジュール管理システム３００（動画データ要求惹起システム）＞
上記スケジュール管理システム３００は、上記動画データ表示端末２００において動画データを表示するスケジュール情報を記憶するスケジュール記憶部３１０と、上記第一ネットワークシステム４００を介して動画データ表示システム２００に動画データ要求惹起データを送信する通信部と、各種処理を行う処理部とを備えている。つまり、上記スケジュール管理システム３００は、スケジュール情報に基づいて動画データ要求惹起データを動画データ表示端末２００に送信する動画データ要求惹起システムとして機能している。なお、上記スケジュール管理システム３００は、ＣＰＵ、ＲＯＭ、ＲＡＭ、ハードディスク、モニタ、キーボード等を備えるコンピュータとルータとにより構成することができる。また、上記スケジュール記憶部３１０は、データを記憶する上記ハードディスク等から構成することができる。上記通信部は、外部とデータの送受信を行うルータ等から構成することができる。上記処理部は、例えばＣＰＵ（中央演算処理部）等から構成することができる。また、後述するＨＴＴＰコミュニケータ等の各手段は、スケジュール管理システム３００のＲＯＭ、ハードディスク等に記憶されているコンピュータプログラムに基づいて処理部が各部を制御することで機能するよう構成されている。
【００４４】
上記スケジュール記憶部３１０は、各動画データ表示端末２００に対応したスケジュール情報（表示する動画データ及び表示する時間）が記憶されている。具体的には、動画データ表示端末２００の識別情報（図２のＰｒｏｊｅｃｔｓ参照）に対応して表示する時間（同図のＳｃｈｅｄｕｌｅ参照）と表示する動画データの格納場所（同図のＰｌａｙｌｉｓｔｓ参照）が記憶されている。なお、複数の動画データ表示端末２００をグループ化して、このグループ化された動画データ表示端末２００に対応してスケジュール情報を記憶することも可能である。また、スケジュール情報として動画データの識別情報を記憶しておき、動画データの識別情報と動画データの格納場所とを別途管理（記憶）することも可能である。
【００４５】
上記処理部は、スケジュール情報に基づいて動画データ要求惹起データを第一ネットワークシステム４００を介して動画データ表示端末２００に送信するよう通信部に対して指示を行う。具体的には、処理部は、スケジュール記憶部３１０のスケジュール情報を管理し、スケジュール情報の表示する時間と現時刻とを比較して差が一定範囲内となった場合に対応するスケジュール情報を抽出し、抽出したスケジュール情報の動画データ表示端末２００の識別情報と動画データの格納場所に基づいて動画データ要求惹起データを生成し、この動画データ要求惹起データを通信部に送信するよう指示する。ここで、動画データ要求惹起データは、第二ネットワークシステム５００（携帯電話ネットワークシステム）に対応したメール形式に生成されて、第二ネットワークシステム５００を介して送信される。なお、上述の説明においては、処理部がスケジュール情報の表示する時間と現時刻とを比較して差が一定範囲であるかによって動作する構成について説明したが、例えばスケジュール情報として「表示する時間」ではなく「動画データ要求惹起データを送信する時間」を管理して、この時間になった際に処理部が上記処理を行うよう設けることも適宜設計変更可能である。
【００４６】
上記スケジュール管理システム３００は、上記動画データ表示端末２００と同様に、ＨＴＴＰコミュニケータ３３０と、タイムシンクロナイザ３４０とを備えている。また、上記スケジュール管理システム３００は、ＸＭＬライタ３２０（Ｅｘｔｅｎｓｉｂｌｅ  Ｍａｒｋｕｐ  Ｌａｎｇｕａｇｅ  Ｗｒｉｔｅｒ）を備えている。ＸＭＬライタ３２０はＸＭＬデータを作成するための手段である。さらに、上記スケジュール管理システム３００は、上述のようにスケジュール管理システム３００に動画データが記憶され、この記憶された動画データを動画データ表示端末２００が要求した場合に、その動画データを動画データ表示端末２００に送信する動画データ送信部３６０を備えている。また、上記スケジュール管理システム３００は、外部記憶補助装置６００に動画データを記憶させるために外部記憶補助装置６００に接続される接続部３５０を備えている。さらに、上記スケジュール管理システム３００は、上記スケジュール記憶部３１０のスケジュール情報の編集等を行う編集手段３７０を備えている。
【００４７】
＜動画データ記憶システム１００＞
上記動画データ記憶システム１００は、上記動画データ表示端末２００において表示する動画データを記憶する動画データ記憶部と、上記第二ネットワークシステム５００を介して動画データ表示端末２００に動画データを送信する通信部と、各種処理を行う処理部とを備えている。なお、上記動画データ記憶システム１００は、ＣＰＵ（中央演算処理部）、ＲＯＭ、ＲＡＭ、ハードディスク、モニタ、キーボード等を備えるコンピュータとルータとから構成することができる。また、上記動画データ記憶部は、上記ハードディスク等から構成することができる。上記通信部は、外部とデータの送受信を行うルータ等から構成することができる。上記処理部は、コンピュータプログラムに基づいて各種処理を行うＣＰＵ等から構成することができる。また、後述する判断手段等の手段は、動画データ記憶システム１００のＲＯＭ、ハードディスク等に記憶されているコンピュータプログラムに基づいて処理部が各部を制御することで機能するよう構成されている。
【００４８】
上記動画データ記憶部は、動画データが記憶されている。ここで、動画データとしては、連続再生される複数の画像データのみならず音声データも含まれる。この画像データ及び音声データからなるデータ（以下、狭義の動画データということがある）の形式としては、例えばＭＰＥＧ２，ＭＰＥＧ４，ＶＣ−１／ＷＭＶ９，ＡＡＣ，ＭＰ３，ＷＭＡ，ＷＡＶ，ＡＶＩ，ＭＰＥＧ−ＴＳ，ＭＰＥＧ−ＰＳ等の形式を採用することができる。さらには、本実施形態において動画データとして、同期して再生される文字データ（例えばテロップ形式で再生される文字データ）、イメージデータ（一定時間連続して表示されるイメージデータ及びテロップ形式で再生されるイメージデータの双方を含む）、フラッシユデータ、ウェブページデータ、パワーポイントデータ等も含めることができる。上記文字データの形式としては、例えばＷｉｎｄｏｗｓ  Ｆｏｎｔ形式等を採用可能である。上記イメージデータの形式としては、例えばＪＰＧ，ＢＭＰ，ＰＮＧ，ＧＩＦ等の形式を採用可能である。上記フラッシュデータの形式としては、例えばＳＷＦ等の形式を採用可能である。上記ウェブページデータの形式としては、例えばＨＴＭＬ，ＵＲＬ等の形式を採用可能である。上記パワーポイントの形式としては、例えばＰＰＴ，ＰＰＳ等の形式を採用可能である。
【００４９】
上記動画データは、表示画面全域に亘って一つの動画が再生されるものでも良いが、表示画面全域を複数に区画して区画ごとに表示する内容を異ならしめるものとすることも可能である。つまり、動画データとして、例えば表示画面全域を四つの区画に区画して、一つの区画に狭義の動画データを再生し、別の区画に文字データをテロップとして再生し、さらに他の区画にそれぞれイメージデータやウェブページデータを再生するよう構成することも可能である。
【００５０】
また、上記動画データ記憶システム１００は、複数の上記動画データ表示端末２００に関するデータを記憶する端末管理部（図示省略）を備えている。この端末管理部は、上述のハードディスク等から構成することができる。この端末管理部には、上記動画データ表示端末２００に関するデータとして、動画データ表示端末２００の識別データ等が記憶されている。
【００５１】
上記動画データ記憶システム１００は、上記動画データ要求データの識別データに基づいて正式な接続か否かを判断する判断手段（図示省略）を有している。具体的には、この判断手段は、動画データ要求データの識別データが上記端末管理部に存在するか否かを判断し、存在しない場合には不正式な接続と判断し、存在する場合には正式な接続と判断する。
【００５２】
上記動画データ記憶システム１００は、上記判断手段が正式な接続と判断した場合に動画データ記憶部から動画データ要求データに対応する動画データを抽出し、この動画データを通信部及び第二ネットワークシステム５００を介して動画データ表示端末２００に送信する抽出供給手段（図示省略）を備えている。なお、この抽出供給手段と上記判断手段とは、一つのコンピュータプログラムによって機能する一つの手段とすることも可能である。
【００５３】
＜動画データ表示方法＞
次に、図３等を参酌しつつ、当該動画データ表示システムによる動画データ表示方法について以下説明する。
【００５４】
当該動画データ表示方法にあっては、まずスケジュール管理システム３００のスケジュール記憶部３１０にスケジュール情報を記憶させ、動画データ記憶システム１００に動画データを記憶させておく。なお、動画データを、スケジュール管理システム３００及び外部記憶補助装置６００にも記憶させておく。
【００５５】
そして、当該動画データ表示方法は、
（Ａ）スケジュール管理システム３００の通信部が、スケジュール情報に基づいて動画データ要求惹起データを動画データ表示端末２００に送信する動画データ要求惹起工程Ｓ１００、
（Ｂ）動画データ表示端末２００が、動画データ要求惹起データに基づいて動画データ記憶システム１００に動画データを要求する動画データ要求工程Ｓ２００、
（Ｃ）動画データを要求された動画データ記憶システム１００が動画データを動画データ表示端末２００に送信する動画データ送信工程Ｓ３００、及び
（Ｄ）送信された動画データを動画データ表示端末２００の動画データ表示部２１０に表示する表示工程Ｓ４００
を有している。
【００５６】
上記動画データ要求惹起工程Ｓ１００は、スケジュール記憶部３１０のスケジュール情報に基づいて動画データ要求惹起データを動画データ表示端末２００に第一ネットワークシステム４００を介して送信する工程である。
【００５７】
この動画データ要求惹起工程Ｓ１００は、具体的には、
（Ａ−１）スケジュール管理システム１００の処理部が、スケジュール記憶部３１０のスケジュール情報の表示する時間と現時刻とを比較して、差が一定範囲内となった場合に対応するスケジュール情報を抽出する手順Ｓ１１０、
（Ａ−２）上記処理部が、上記抽出したスケジュール情報の動画データ表示端末２００の識別情報と動画データの格納場所に基づいて動画データ要求惹起データを生成する手順Ｓ１２０、
（Ａ−３）上記処理部が、この動画データ要求惹起データを通信部に送信するよう指示する手順Ｓ１３０、及び
（Ａ−４）通信部が、この動画データ要求惹起データを第一ネットワークシステム４００を介して動画データ表示端末２００に送信する手順Ｓ１４０
を有している。
【００５８】
なお、上記動画データ要求惹起データを生成する手順Ｓ１２０において、この動画データ要求惹起データは、携帯電話ネットワークシステム５００（３Ｇネットワークシステム）に対応したメール形式に作成される。
【００５９】
上記動画データ要求工程Ｓ２００は、具体的には、
（Ｂ−１）動画データ表示システム２００の通信部が、スケジュール管理システム３００の通信部から第一ネットワークシステム４００を介して送信された動画データ要求惹起データを受信する手順Ｓ２１０、及び
（Ｂ−２）上記通信部が、受信した動画データ要求惹起データに基づいて動画データ記憶システム１００に第一ネットワークシステム４００に接続（アクセス）するとともに、動画データ記憶システム１００に自己の識別情報を含む動画データ要求データを送信する手順Ｓ２２０
を有している。
【００６０】
上記動画データ送信工程Ｓ３００は、動画データ要求データを受信した動画データ記憶システム１００が、上記動画データ要求データの識別データに基づいて正式な接続か否かを判断し、正式な接続である場合には記憶されている動画データを動画データ表示端末２００に対して送信する工程である。
【００６１】
上記動画データ送信工程Ｓ３００は、具体的には、
（Ｃ−１）動画データ記憶システム１００の通信部が、動画データ表示システム２００の通信部から第二ネットワークシステム５００を介して送信された動画データ要求データを受信する手順Ｓ３１０、
（Ｃ−２）動画データ記憶システム１００の判断手段が、上記動画データ要求データの識別情報が端末管理部に存在するか否かを判断する手順Ｓ３２０、及び
（Ｃ−３）上記判断の結果、正式な接続と判断した場合に、動画データ記憶システム１００の抽出供給手段が、動画データ記憶部から動画データ要求データに対応する動画データを抽出し、この動画データを通信部及び第二ネットワークシステム５００を介して動画データ表示端末２００に送信する手順Ｓ３３０
を有している。
【００６２】
上記表示工程Ｓ４００は、上記動画データ記憶システム１００から受け取った動画データを動画データ表示端末２００の動画データ表示部２１０に表示する工程である。
【００６３】
この表示工程は、具体的には、
（Ｄ−１）動画データ記憶システム１００の通信部が送信した動画データを、動画データ表示端末２００のデータベース接続手段２２０が受信する手順Ｓ４１０、
（Ｄ−２）このデータベース接続手段２２０が受信した動画データを動画データ表示部２１０で表示可能なデータをレンダリング手段２５０が生成する手順Ｓ４２０、及び
（Ｄ−３）レンダリング手段２５０が生成したデータに基づいて動画データを動画データ表示部２１０に表示させる手順Ｓ４３０
を有している。
【００６４】
なお、当該動画データ表示方法の説明において、動画データを動画データ記憶システム１００から抽出する場合についてのみ説明したが、スケジュール管理システム３００又は外部記憶補助装置６００から動画データを抽出する場合も上記工程に類した工程によって動画を表示させることができる。
【００６５】
つまり、スケジュール管理システム３００から動画データを抽出する場合、上記動画データ要求惹起データを受信し、その動画データ要求惹起データの動画データの格納場所がスケジュール管理システム３００である際に、動画データ表示システムがスケジュール管理システム３００に動画データを要求し、動画データ表示システムが動画データを動画データ表示端末２００に送信する。また、外部記憶補助装置６００から動画データを抽出する場合、上記動画データ要求惹起データを受信し、その動画データ要求惹起データの動画データの格納場所が外部記憶補助装置６００である際に、動画データ表示端末２００のローダー手段２３０が外部記憶補助装置６００から引き出す。そして、これらのように受け取った動画データを上記動画データ表示端末２００の動画データ表示部２１０において表示する。
【００６６】
＜利点＞
以上のように当該動画データ表示システム及び動画データ表示方法は、スケジュール管理システム３００の通信部が動画データ表示端末２００に動画データ要求惹起データを送信することによって、動画データ表示端末２００が、動画データを動画データ記憶手段（動画データ記憶システム１００，スケジュール管理システム３００，外部記憶補助装置６００）から受け取り、動画データを表示することができる。このように動画データ表示端末２００からは動画データ自体ではなく動画データ要求惹起データのみを送信すれば足りる。
【００６７】
また、この動画データ要求惹起データは、動画データ表示端末２００が動画データを要求するよう動画データ表示端末２００を惹起するデータだけで足り、このため動画データ要求惹起データとして携帯電話ネットワークシステムの電子メールが用いられている。よって、携帯電話ネットワークシステムを用いて確実且つ簡便に動画データ要求惹起データを動画データ表示端末２００に送信することができる。従って、動画データ自体を送信する場合に比べると、動画データ表示端末２００とスケジュール管理システム３００とを常時接続しておく必要がなく、また動画データ表示端末２００が固定されたＩＰアドレスを有する等のリモートコントロール可能に設定することを特に必要としない。
【００６８】
以上のことから、当該動画データ表示システムは、簡易な構成でスケジュール通りに動画データを表示することができ、システム全体が高額になり過ぎることを防止できるとともに、従来のリモートコントロール可能に設けるものに比して不正アクセスのおそれが少ない。
【００６９】
しかも、当該データ表示システムにあっては、動画データ表示端末２００が、動画データ記憶システム１００に対して自己の識別データを含む動画データ要求データを送信し、上記動画データ記憶システム１００が、上記動画データ要求データの識別データに基づいて正式な接続か否かを判断し、正式な接続である場合には記憶されている動画データを動画データ表示端末２００に対して送信する構成であるため、例えば不正式な接続に対して動画データを送信することを防止したり、或いは識別データに対応した動画データを送信することが可能となる。
【００７０】
＜その他の実施形態＞
なお、上記実施形態のデータ表示システムは上記構成から上述の利点を有するものであったが、本発明は上記実施形態に限定されるものではない。つまり、上記実施形態においては、動画データ記憶システム１００、動画データ表示端末２００及びスケジュール管理システム３００からなるデータ表示システムについて説明したが、例えば上記実施形態のスケジュール管理システム３００のみからなる動画データ要求惹起システムも本発明の意図する範囲内である。また同様に、上記実施形態では動画データ表示方法のみについて説明したが、この動画データ表示方法においても用いられている動画データ表示用スケジュール管理方法も本発明の意図する範囲内である。
【００７１】
また、上記実施形態にあっては、動画データとしては音声データも含むものについて説明したが、本発明はこれに限定されるものではない。本発明において、動画データとして、連続再生される画像データのみからなる動画データを採用することも可能であり、さらにこのデータ（画像データ）に文字データ等を含む動画データを採用することも可能である。
【００７２】
さらに、上記実施形態においては、スケジュール管理システム３００の編集手段３７０によってスケジュール情報が編集されるものについて説明したが、本発明はこれに限定されるものではない。例えば、ネットワークシステム（例えばインターネット）を介してスケジュール管理システム３００に接続可能な編集システムを備え、この編集システムによってスケジュール情報が編集できるよう構成することも適宜設計変更可能である。なお、この場合には、編集システム（又は編集者）ごとに識別情報を付与しておき、上記ネットワークシステムを介した接続が正当な接続であるか否かをスケジュール管理システム３００が判断するよう構成することが好ましい。
【００７３】
また、上記実施形態においては、動画データ記憶手段として、動画データ記憶システム１００、スケジュール管理システム３００及び外部記憶補助装置６００のそれぞれに動画データを記憶させたものについて説明したが、本発明はこれに限定されるものではない。例えば、上記動画データ記憶システム１００、スケジュール管理システム３００及び外部記憶補助装置６００のうちいずれか一つにのみ動画データを記憶したものであれば、本発明の意図する範囲内である。但し、動画データ記憶手段として、動画データ表示端末２００とネットワークシステムを介して接続可能なシステム（例えば上記動画データ記憶システム１００又はスケジュール管理システム３００）を採用することが好ましく、これにより動画データの更新作業等がネットワークシステムを利用して容易且つ迅速に行うことができる。
【００７４】
なお、上記実施形態においては、動画データ記憶システム１００が動画データ要求データの識別データに基づいて正式な接続か否かを判断する判断手段を有しているものについて説明したが、本発明はこれに限定されるものではない。また、上記実施形態の説明において、判断手段が不正式な接続と判断した場合についての動作に関する説明を省略したが、不正式な接続と判断がなされた場合には種々の対応を行うよう構成することができる。つまり、例えば動画データ表示端末２００に対して不正式な接続である旨警告（表示又は音）を発したり、スケジュール管理システム３００に対して不正式な接続があった旨警告を発する構成を採用することができる。
【産業上の利用可能性】
【００７５】
以上のように、本発明は、簡易な構成でスケジュール通りに動画データ表示端末で動画を表示することができ、従来のものに比べてシステム全体が高額化することを防止できるとともに不正アクセスのおそれが少ないので、クラウド型サイネージサービスに好適に用いられる。
【符号の説明】
【００７６】
１００  動画データ記憶システム
２００  動画データ表示端末
２１０  動画データ表示部
２２０  データベース接続手段
２３０  ローダー手段
２４０  受取手段
２５０  レンダリング手段
２６０  コミュニケータ
２７０  タイムシンクロナイザ
３００  スケジュール管理システム
３１０  スケジュール記憶部
３２０  ＸＭＬライタ
３３０  ＨＴＭＬコミュニケータ
３４０  タイムシンクロナイザ
３５０  接続部
３６０  動画データ送信部
３７０  編集手段
４００  第一ネットワークシステム
５００  第二ネットワークシステム
６００  外部記憶補助装置
【図１】
0005551138.tif 000002
【図２】
0005551138.tif 000003
【図３】
0005551138.tif 000004